(57)【要約】【課題】カセットハウジング装置を大型化させることなく、テープカセット収納部昇降の動作不良が発生しにくいカセットハウジング装置を提供する。【解決手段】テープカセット収納部２は、メインデッキ１に近接させた第１の状態（Ａ）と、メインデッキ１より離間させた第２の状態（Ｂ）との２つの状態をとるよう、昇降自在となっている。テープカセット収納部２には金属製のピン２０６が設けられ、メインデッキ１側には、ピン２０６と係合することにより、テープカセット収納部２を第１の状態に保持する係合部１０１ａを有する金属製のロックレバー１０１が設けられている。係合部１０１ａには樹脂製のキャップ１１３が装着されている。【選択図】      図１
2004335006.tif 000002
【特許請求の範囲】
【請求項１】
テープカセットを収納するテープカセット収納部を備えたカセットハウジング装置において、
メインデッキと、
前記テープカセット収納部を前記メインデッキに近接させた第１の状態と、前記テープカセット収納部を前記メインデッキより離間させた第２の状態との２つの状態をとるよう、前記テープカセット収納部を前記メインデッキに対して昇降自在に連結する連結機構と、
前記テープカセット収納部に設けた金属製のピンと、
前記メインデッキ側に設けられ、前記ピンと係合することにより、前記テープカセット収納部を前記第１の状態に保持する係合部を有する金属製のロックレバーと、
前記係合部に装着された樹脂製のキャップとを備えて構成したことを特徴とするカセットハウジング装置。
【発明の詳細な説明】
【０００１】
【発明の属する技術分野】
本発明は、テープカセットを用いたビデオカメラにて使用されるカセットハウジング装置に関する。
【０００２】
【従来の技術】
テープカセットを用いたビデオカメラは、テープカセットを収納するカセットハウジング装置を備える。カセットハウジング装置としては、ビデオカメラの小型化、軽量化のため、テープカセットを上下方向に移動させて着脱するポップアップ式と称されるものが一般的である。
【０００３】
ポップアップ式のカセットハウジング装置においては、スプリングの作用により、テープカセット収納部がメインデッキから離間して、テープカセットを着脱するための跳ね上がった状態になろうとする力が働くようになっている。テープカセット収納部にテープカセットを収納し、スプリングの力に抗してテープカセット収納部をメインデッキ方向へと押し下げると、メインデッキに設けたロックレバーが、テープカセット収納部に設けたピンに係合する。これにより、テープカセット収納部は、メインデッキに近接した状態に保持される。
【０００４】
この種のカセットハウジング装置は、一例として、実開平６−５２０３５号公報（特許文献１）に記載されている。
【０００５】
【特許文献１】
実開平６−５２０３５号公報
【０００６】
【発明が解決しようとする課題】
上述したカセットハウジング装置におけるロックレバーやピンは、金属にて形成されるのが一般的である。ロックレバーとピンの双方を金属にて形成した場合、ロックレバーとピンとは金属同士の摺動となるため、摩擦が大きい。そのため、ロックレバーをピンから外すロック解除の際に負荷が大きく、テープカセット収納部昇降の動作不良を発生しやすいという問題点があった。
【０００７】
この問題点を回避するため、特許文献１に記載のように、ロックレバーを樹脂製にすることが考えられる。しかしながら、樹脂製のロックレバーを金属製のものと同等の強度とするには、ロックレバーをかなり大きくしなければならず、カセットハウジング装置の小型化の障害となるという問題点が発生してしまう。
【０００８】
本発明はこのような問題点に鑑みなされたものであり、カセットハウジング装置を大型化させることなく、テープカセット収納部昇降の動作不良が発生しにくいカセットハウジング装置を提供することを目的とする。
【０００９】
【課題を解決するための手段】
本発明は、上述した従来の技術の課題を解決するため、テープカセットを収納するテープカセット収納部（２）を備えたカセットハウジング装置において、メインデッキ（１）と、前記テープカセット収納部を前記メインデッキに近接させた第１の状態と、前記テープカセット収納部を前記メインデッキより離間させた第２の状態との２つの状態をとるよう、前記テープカセット収納部を前記メインデッキに対して昇降自在に連結する連結機構（２０２〜２０４）と、前記テープカセット収納部に設けた金属製のピン（２０６）と、前記メインデッキ側に設けられ、前記ピンと係合することにより、前記テープカセット収納部を前記第１の状態に保持する係合部（１０１ａ）を有する金属製のロックレバー（１０１）と、前記係合部に装着された樹脂製のキャップ（１１３）とを備えて構成したことを特徴とするカセットハウジング装置を提供するものである。
【００１０】
【発明の実施の形態】
以下、本発明のカセットハウジング装置について、添付図面を参照して説明する。図１は本発明の一実施形態を示す側面図、図２は本発明の一実施形態の部分斜視図、図３は本発明の一実施形態の分解斜視図、図４は本発明の一実施形態の要部斜視図、図５は本発明の一実施形態の動作を説明するための平面図である。
【００１１】
図２，図３に示すように、本実施形態のカセットハウジング装置は、メインデッキ１と、テープカセット収納部２とを備える。メインデッキ１の側壁には、ロックレバー１０１と、キャンセルレバー１０２が取り付けられている。また、メインデッキ１には、ローディングモータ１０３が設けられており、ローディングモータ１０３の回転は、ウォームギア１０４，ウォームホイール１０５，ロータリ・エンコーダ１０６，カム１０７〜１０９へと順次伝達される。後述するように、カム１０９は、イジェクトレバー１１０を回動させる。
【００１２】
一方、テープカセット収納部２は、図示していないテープカセットを収納して保持する枠状の保持部２０１と、保持部２０１の左右両側壁外側に装着し、Ｘ字状に交差して取り付けたアーム２０２，２０３とを備える。アーム２０２，２０３の上端部はスプリング２０４にて連結されている。アーム２０２，２０３は、支点２０５を中心として回動され得る。図３に示す状態は、アーム２０２，２０３が最も閉じた状態である。保持部２０１の一方の側壁外側には、ピン２０６が設けられている。なお、これらのテープカセット収納部２は、ピン２０６を含め、金属にて形成されている。
【００１３】
そして、アーム２０２，２０３の下端部（またはその近傍）に設けた凸部２０７，２０８をメインデッキ１の側壁に設けた孔１１１と溝状の開口部１１２にそれぞれ係合させることにより、テープカセット収納部２はメインデッキ１に装着される。アーム２０２，２０３及びスプリング２０４は、テープカセット収納部２をメインデッキ１に近接させた第１の状態と、メインデッキ１より離間させた第２の状態との２つの状態をとるよう、昇降自在に連結する連結機構となっている。
【００１４】
ここで、図４を用いて、ロックレバー１０１について詳細に説明する。ロックレバー１０１は全体として金属にて形成されている。図４（Ａ）に示すように、ロックレバー１０１の上端部は、爪状に突出し、テープカセット収納部２の保持部２０１に形成したピン２０６に係合する係合部１０１ａとなっている。この係合部１０１ａに、樹脂製のキャップ１１３を例えば熱溶着にて固着させることにより、図４（Ｂ）に示すように、ロックレバー１０１とキャップ１１３とを一体化している。
【００１５】
キャップ１１３の固着方法は熱溶着に限定されることはなく、接着剤による固定、接着剤等を用いない強嵌合による固定であってもよい。但し、キャップ１１３を装着した係合部１０１ａは、ピン２０６に対して摺動する部分であるので、キャップ１１３が容易に外れないようにする必要がある。本実施形態のように、爪状の係合部１０１ａのみにキャップ１１３を装着しているので、ロックレバー１０１が大きくなってしまうことがなく、コストアップもごく僅かである。
【００１６】
図１を用いて、本実施形態のカセットハウジング装置についてさらに説明する。図１において、（Ａ）は、テープカセット収納部２を、スプリング２０４の力に抗してメインデッキ１方向へと押し下げ、ロックレバー１０１の係合部１０１ａがピン２０６に係合して、テープカセット収納部２をメインデッキ１に近接させて保持した状態（第１の状態）を示している。図１において、（Ｂ）は、ロックレバー１０１の係合部１０１ａによるピン２０６への係合を解除して、スプリング２０４の力によりテープカセット収納部２が跳ね上がった状態（第２の状態）を示している。
【００１７】
図５（Ａ）の（ａ），（ｂ）は図１（Ａ）の状態におけるロックレバー１０１やキャンセルレバー１０２及びイジェクトレバー１１０の位置（状態）を示している。図５（Ｂ）の（ａ），（ｂ）は図１（Ｂ）の状態におけるロックレバー１０１やキャンセルレバー１０２及びイジェクトレバー１１０の位置（状態）を示している。なお、図５（Ａ），（Ｂ）の（ａ）は、メインデッキ１を上から見た状態であり、図５（Ａ），（Ｂ）の（ｂ）は、メインデッキ１の側壁を内側から見た状態である。なお、図５においては、テープカセット収納部２の図示を省略している。
【００１８】
図１（Ａ）の状態において、ロックレバー１０１とキャンセルレバー１０２とイジェクトレバー１１０は、図５（Ａ）に示す状態にある。テープカセット着脱のため、イジェクト操作がなされると、ローディングモータ１０３が回転する。そして、カム１０９が矢印Ｄ０方向に回転すると、図５（Ｂ）の（ａ）に示すように、カム１０９の裏面に設けたピンがイジェクトレバー１１０の側面に当接し、イジェクトレバー１１０を矢印Ｄ１方向に回動させる。
【００１９】
すると、図５（Ｂ）の（ｂ）に示すように、イジェクトレバー１１０の折曲部１１０ａが、ロックレバー１０１の折曲部１０１ｂを矢印Ｄ２方向に押す。これに伴い、ロックレバー１０１は矢印Ｄ３方向に回動し、係合部１０１ａによるピン２０６への係合が解除されることとなる。係合部１０１ａによるピン２０６への係合が解除されると、テープカセット収納部２は、スプリング２０４の力によりアーム２０２，２０３が互いに引き寄せられることにより、図１（Ｂ）に示すように、矢印Ｄ４方向に跳ね上がる。
【００２０】
なお、キャンセルレバー１０２は、図１（Ｂ）及び図５（Ｂ）の状態において、ロックレバー１０１の位置を矢印Ｄ３方向に回動した状態に保持しておく作用をするものである。図１（Ｂ）より分かるように、ロックレバー１０１の係合部１０１ａは、ピン２０６を垂下した位置から離れた位置に位置しているので、図１（Ｂ）の状態から、テープカセット収納部２を、スプリング２０４の力に抗してメインデッキ１方向へと押し下げて図１（Ａ）の状態に移行させるとき、ピン２０６が係合部１０１ａの上面にぶつかって、ピン２０６の下降を妨げることがない。
【００２１】
テープカセット収納部２を最終位置まで押し下げると、キャンセルレバー１０２によるロックレバー１０１の矢印Ｄ３方向への力が解除され、図１（Ａ）に示すように、ロックレバー１０１の係合部１０１ａがピン２０６と係合して、テープカセット収納部２を図１（Ａ）の位置に保持（ロック）する。
【００２２】
本実施形態では、ロックレバー１０１とピン２０６は共に金属であるが、係合部１０１ａに樹脂製のキャップ１１３を装着しているので、係合部１０１ａ（キャップ１１３）とピン２０６との摩擦を小さくすることができ、テープカセット収納部２の昇降動作の不良を大幅に低減することができる。また、ロックレバー１０１の全体を樹脂とするものではないので、ロックレバー１０１の大きさは従来と同等でよく、カセットハウジング装置の小型化の障害となることもない。
【００２３】
【発明の効果】
以上詳細に説明したように、本発明のカセットハウジング装置によれば、カセットハウジング装置を大型化させることなく、テープカセット収納部昇降の動作不良を大幅に軽減することができる。
【図面の簡単な説明】
【図１】本発明の一実施形態を示す側面図である。
【図２】本発明の一実施形態の部分斜視図である。
【図３】本発明の一実施形態の分解斜視図である。
【図４】本発明の一実施形態の要部斜視図である。
【図５】本発明の一実施形態の動作を説明するための平面図である。
【符号の説明】
１  メインデッキ
２  テープカセット収納部
１０１  ロックレバー
１０１ａ  係合部
１１３  キャップ
２０１  保持部
２０２，２０３  アーム（連結機構）
２０４  スプリング（連結機構）
２０６  ピン
【図１】
2004335006.tif 000003
【図２】
2004335006.tif 000004
【図３】
2004335006.tif 000005
【図４】
2004335006.tif 000006
【図５】
2004335006.tif 000007